(57)【特許請求の範囲】
【請求項１】
筐体内に排熱機構を備える情報機器端末において、
前記排熱機構が前記情報機器端末の傾きによって生じる前記情報機器端末の位置的に高い部分から熱を排出する排熱制御を実行する第一の排熱機構を備え、
前記第一の排熱機構は、
回転軸と、前記回転軸を中心にした円盤状の前記回転体とを有し、
前記情報機器端末の傾きによって、一部におもりを備え、かつ、前記回転軸を中心に前記おもりと略対称の位置に開口部を有する前記回転体を、前記おもりの自重により回転させることにより前記開口部の位置が決定されると共に、その開口部から熱を排出する
ことを特徴とする情報機器端末。
【請求項２】
請求項１記載の情報機器端末において、
前記筐体は、略直方体の形状であって、前記筐体の上面に表示画面部を備え、前記筐体の側面に排熱用の開口部を有する
ことを特徴とする情報機器端末。
【請求項３】
請求項１または２記載の情報機器端末において、
前記第一の排熱機構は、前記回転軸と、前記回転体とからなる部分と、前記回転体の近傍に備え付けられた回転フィンと、前記回転フィンを駆動する駆動源と、
から構成され、
前記駆動源が前記回転フィンを動作させることによって、前記決定された開口部から排熱が行われる
ことを特徴とする情報機器端末。
【請求項４】
請求項３記載の情報機器端末において、
前記排熱制御を実行する第二の排熱機構は、
排気ガイドと、
排気プレートと、
から構成され、
前記排気ガイドは、前記情報機器端末の傾きによって、該排気ガイドに備えられたおもりの自重で、前記排気プレートの外縁に嵌合した状態で移動し、前記筐体の側面の排熱用の開口部を塞ぐように位置する
ことを特徴とする情報機器端末。
【請求項５】
請求項１乃至４記載の情報機器端末において
前記排熱機構を有する第一の筐体とは別に、前記第一の筐体に接続された第二の筐体を有する
ことを特徴する情報機器端末。
【発明の詳細な説明】
【技術分野】
【０００１】
本発明は、情報機器端末の排熱に関するものである。
【背景技術】
【０００２】
従来のパソコンなどの情報機器端末では、設置向きが基本的に一様であったため、情報機器端末を構成する筐体のある一面から、一方向だけの熱の排気を行っていた。そのため、その面が塞がれてしまうと、情報機器端末内で発生する熱を効率的に排出することができなくなってしまう可能性があった。
【０００３】
このような課題を解決するため、特許文献１には、プラズマディスプレイパネルのような情報機器端末の各側面部に、排気口とそれに対応するファンを複数備えることで、情報機器端末を、９０度回転させて設置した場合や、上下逆に設置した場合においても、十分な熱の排出が行えるような技術が開示されている。
【先行技術文献】
【特許文献】
【０００４】
【特許文献１】特開２０００−１３２１１２号公報
【発明の概要】
【発明が解決しようとする課題】
【０００５】
しかしながら、特許文献１で開示された技術では、複数個のファンが必要になるため、携帯型の情報機器端末などには、重量的にも、構造的にも、適していないという課題が生じる。また、複数個のファンを制御する必要があるため、制御が複雑になるという課題も生じる。
【０００６】
そこで、本発明の目的は、上述した課題を解決し、効率的な排熱を実行する情報機器端末を提供することにある。
【課題を解決するための手段】
【０００７】
本発明の情報機器端末は、筐体内に排熱機構を備える情報機器端末において、排熱機構が情報機器端末の傾きによって生じる情報機器端末の位置的に高い部分から熱を排出する排熱制御を行うことを特徴とする。
【発明の効果】
【０００８】
本発明によれば、情報機器端末の設置の仕方や、操作する者の情報機器端末の持ち方により生じる情報機器端末の筐体の傾きに応じて、効率的な排熱を実行することができるという効果を奏する。
【図面の簡単な説明】
【０００９】
【図１】本発明に係る実施形態の外観図である。
【図２】本発明に係る実施形態の構成図である。
【図３】本発明に係る実施形態の構成図の断面Ａ−Ａを示した図である。
【図４】本発明に係る実施形態の回転ファンユニットの構成図である。
【図５】本発明に係る実施形態の回転体の構成図である。
【図６】本発明に係る実施形態の排気プレートの構成図である。
【図７】本発明に係る実施形態の排気ガイドの構成図である。
【図８】本発明に係る実施形態の排気プレートと排気ガイドの連係図である。
【図９】本発明に係る実施形態の情報機器端末の状態図である。
【図１０】本発明に係る実施形態の熱排出（１）の状態図である。
【図１１】本発明に係る実施形態の熱排出（２）の状態図である。
【発明を実施するための形態】
【００１０】
以下に、図面を参照して、本発明の実施形態について詳細に説明する。図１は、本発明に係る実施形態の外観図である。図１において、情報機器端末１は、表示画面２および表示画面４を備えている。図１では、Ｙ方向を情報機器端末１の上部とし、表示画面２および４の画像を見ることになるが、表示画面２および表示画面４に映し出される画像によっては、情報機器端末１をＸ方向に９０度回転させ、見ることも想定される。
【００１１】
なお、図１では、表示画面２および表示画面４を備えている筐体が、本の見開きのように開閉する機構を有する情報機器端末を実施形態として取り上げているが、表示画面がひとつのみで構成される直方体形状の情報機器端末にも、本発明は適用される。
【００１２】
図２は、本発明に係る実施形態の構成図である。情報機器端末１において、表示画面４（不図示）が備え付けられている方の筐体内に、回転ファンユニット１０（不図示）と、回転体２０と、排気プレート３０と、排気ガイド４０とが備え付けられている。また、表示画面４（不図示）が備え付けられている方の筐体内の側面には、排気口６ａ、６ｂ、６ｃ、６ｄがあるが、これらは必ずしもすべて必要ではなく、通常の使用時に、操作者に最も近い側面に位置する排気口６ａは、塞がれる場合もある。どの側面の排気口が塞がれるかは、適宜決定される。
【００１３】
図３は、図２における断面Ａ−Ａを示した図である。情報機器端末１において、表示画面４が備え付けられている方の筐体内に、回転ファンユニット１０と、回転体２０と、排気プレート３０と、排気ガイド４０とが備え付けられている。なお、熱の排出が矢印線でしめしてあるが、これは、回転ファンユニット１０によって、空気の流れを起こし、筐体内の熱を回転体２０の熱排気穴２４（図５参照）から、排気プレート３０の熱吹き出し用穴３４（図６参照）を通して、筐体側面の排気口６ｂへ排出することを示している。
【００１４】
図４は、回転ファンユニット１０の構成を示した図である。回転ファンユニット１０は、風吸い込み穴１２を有する風吸い込みプレート１３と、フィン１４と、フィンを回すモータ（不図示）から構成される。
【００１５】
図５は、回転体２０の構成を示した図である。回転体２０は、円盤状の形状をしており、円周部のある一部におもり２２が備え付けられている。そして、熱排気穴２４は、回転体２０の回転軸を中心として、おもり２２とほぼ対称となる位置にある。
【００１６】
図６は、排気プレート３０の構成を示した図である。排気プレート３０は、大きく２つの部品から構成されている。それは、排気プレート（外）３２と排気プレート（内）３６である。これらの２つの部品によって、熱吹き出し用穴３４が構成される。なお、排気プレート（外）３２と排気プレート（内）３６は、筐体や他の部品にネジなどで固定されている。
【００１７】
図７は、排気ガイド４０の構成を示した図である。排気ガイド４０は、排気ガイドセル４２が複数結合している。詳細に説明すると、排気ガイドセル４２には、接続軸４４ａと接続軸４４ｂがあり、これらの接続軸によって、前後に位置する排気ガイドセル４２と結合している。接続軸は、自由度を有しているため、排気ガイド４０全体としては、直線形状となったり、円弧形状になったりすることができる。また、排気ガイド４０を構成する排気ガイドセル４２の一部におもり４６が備え付けられている。また、排気ガイド４０全体は、ラバーやフィルムなどの柔軟性のあるシートで覆い包むことで、排気ガイドセル４２の結合によって生じる隙間を無くす効果がある。なお、上記シートは、排気ガイド４０の柔軟性を失うものではない。
【００１８】
図８は、排気プレート３０と排気ガイド４０の連係を示した図である。排気ガイド４０は、上述したように、直線形状となったり、円弧形状になったりすることができるので、排気プレート（外）３２に沿って移動する構成になっている。この時、排気プレート（外）３２と排気ガイド４０は、図８に示したように、排気プレート（外）３２の外縁に溝が加工されており、その溝に排気ガイド４０の一部が嵌合するようになっている。ここで言う嵌合とは、排気ガイド４０が、排気プレート（外）３２に沿って移動することに支障のない程度の状態で、嵌っていることを指している。
【００１９】
次に、本発明の動作について、上記の図および図９〜１１を用いて詳細に説明する。図９に示したように、情報機器端末１を机などの平面に設置した場合について、どのようにして熱を排気するかを説明する。
【００２０】
図９は、情報機器端末１を机などの平面に設置した場合、情報機器端末１に備え付けられた突起９０によって、情報機器端末１の表示画面４が備え付けられている方の筐体が傾斜している状態を示した図である。
【００２１】
図９において、情報機器端末１を操作する者（以下、操作者と略す）の位置が示してある。この時、情報機器端末１の表示画面４が備え付けられている方の筐体は、操作者側が低く、突起９０の方が高くなっている。
【００２２】
図１０は、図９で示した情報機器端末１の設置状態における熱排出（１）を示した図であり、情報機器端末１の内部構造も示してある。筐体内部にある回転体２０のおもり２２は、上述の情報機器端末１の表示画面４が備え付けられている方の筐体の傾斜によって、その自重が作用し、操作者側に移動する。すると、回転体２０の熱排気穴２４は、おもり２２と反対側に位置することになる。
【００２３】
ここで、図４に示した回転ファンユニット１０によって、空気の流れを起こし、筐体内の熱を回転体２０の熱排気穴２４から、図６に示した熱吹き出し用穴３４を通して、筐体側面の排気口６ｂ、６ｃ、６ｄへ排出するようになっている。
【００２４】
また、排気ガイド４０は、上述の情報機器端末１の表示画面４が備え付けられている方の筐体の傾斜によって、おもり４６の自重が作用し、排気プレート３０の外縁を移動して、操作者側に位置する。これによって、操作者側の筐体側面に排気口６ａがあるが、排気ガイド４０が排気口６ａへの熱の排出を防ぐため、操作者側への熱を排出しないという効果を奏する。
【００２５】
図１１は、本発明に係る実施形態の熱排出（２）の状態を示した図である。図１１では、操作者の手持ちなどによって、情報機器端末１の表示画面４が備え付けられている方の筐体において、排気口６ｄ側が低く、排気口６ｃ側が高くなっている状態である。熱の排出については、上述と同じ原理であり、結果的に、排気口６ａ、６ｂ、６ｃから熱が排出される。
【００２６】
以上、実施形態を説明したが、特許請求の範囲に定義された本発明の広範囲な趣旨およびその範囲から逸脱することなく、これらの実施形態や具体例に様々な修正および変更が可能である。
【符号の説明】
【００２７】
１    情報機器端末
２    表示画面
４    表示画面
６ａ    排気口
６ｂ    排気口
６ｃ    排気口
６ｄ    排気口
１０    回転ファンユニット
１２    風吸い込み穴
１３    風吸い込みプレート
１４    フィン
２０    回転体
２２    おもり
２４    熱排気穴
３０    排気プレート
３２    排気プレート（外）
３４    熱吹き出し用穴
３６    排気プレート（内）
４０    排気ガイド
４２    排気ガイドセル
４４ａ    接続軸
４４ｂ    接続軸
４６    おもり
９０    突起
【図１】
0005482356.tif 000002
【図２】
0005482356.tif 000003
【図３】
0005482356.tif 000004
【図４】
0005482356.tif 000005
【図５】
0005482356.tif 000006
【図６】
0005482356.tif 000007
【図７】
0005482356.tif 000008
【図８】
0005482356.tif 000009
【図９】
0005482356.tif 000010
【図１０】
0005482356.tif 000011
【図１１】
0005482356.tif 000012